(57)【要約】【課題】  ネットワークを介して接続された複数の構内システム間で、マルチライン情報を参照できるようにすることによって、任意の内線端末に、構内システムを跨ってマルチライン情報を通知することができる構内交換機を提供することを目的とするものである。【解決手段】  構内システムが一元管理している電話番号／回線／端末等に関する情報を、他の構内システムと相互に共有可能とし、これによって、複数の構内システムに収容されている電話番号／回線／端末等の情報を、任意のボタン電話機等の内線端末で把握することができる。【選択図】  図１
2005244402.tif 000002
【特許請求の範囲】
【請求項１】
所定の構内システムに収容される電話回線、当該電話回線の契約者番号および追加番号、構内システムの内線に接続される端末の各情報であるマルチライン情報を、一元管理する構内システムにおいて、
ネットワークを介して接続される他の構内システムに、上記マルチライン情報を伝達する情報伝達手段と；
上記他の構内システムが一元管理している上記マルチライン情報を参照する情報参照手段と；
を有することを特徴とする構内交換機。
【請求項２】
請求項１において、
上記他の構内システムを特定する情報を蓄積・管理する特定情報蓄積・管理手段と；
上記他の構内システムとの間で、相互に認証する認証手段と；
認証のために必要な情報を認証情報蓄積・管理する手段と；
を有することを特徴とする構内交換機。
【請求項３】
請求項１または請求項２において、
上記他の構内システムとの間で、上記マルチライン情報を相互に伝達する際に、上記マルチライン情報を暗号化して送受信する送受信手段を有することを特徴とする構内交換機。
【発明の詳細な説明】
【技術分野】
【０００１】
本発明は、ＰＢＸやボタン電話装置等の構内システムのサービス機能に関する。
【背景技術】
【０００２】
従来、ＰＢＸやボタン電話装置等の構内システムに接続されている内線端末で、複数の電話番号／回線／端末等の状態を把握することに備えて、構内システムが、電話番号／回線／端末等に関する情報を一元管理している。そして、上記一元管理されている情報の参照を望むボタン電話機等の内線端末に、必要な情報を適宜、伝達する(たとえば、特許文献１参照)。
【０００３】
この場合、ボタン電話機等の内線端末が、電話番号／回線／端末等の状態を把握する際、当該内線端末が所属している構内システムが一元管理している電話番号／回線／端末等の状態に限定される。
【特許文献１】特開平０５−０４８７１７号公報
【発明の開示】
【発明が解決しようとする課題】
【０００４】
従来の構内システムにおいて、その構内システムに接続されている内線端末が把握することができる電話番号／回線／端末等の状態は、当該構内システムに収容されている電話番号／回線／端末等に限られるので、複数の拠点の構内システムに収容されている電話番号／回線／端末等の状態を把握することが困難であるという問題がある。
【０００５】
本発明は、ネットワークを介して接続された複数の構内システム間で、マルチライン情報を参照できるようにすることによって、任意の内線端末に、構内システムを跨ってマルチライン情報を通知することができる構内交換機を提供することを目的とするものである。
【課題を解決するための手段】
【０００６】
本発明は、構内システムが一元管理している電話番号／回線／端末等に関する情報を、他の構内システムと相互に共有可能とし、これによって、複数の構内システムに収容されている電話番号／回線／端末等の情報を、任意のボタン電話機等の内線端末で把握することができる。
【発明の効果】
【０００７】
本発明によれば、ネットワークを介して接続された複数の構内システム間で、マルチライン情報を参照できるようになるので、任意の内線端末に、構内システムを跨ってマルチライン情報を通知することができるという効果を奏する。
【発明を実施するための最良の形態】
【０００８】
発明を実施するための最良の形態は、以下の実施例である。
【実施例１】
【０００９】
図１は、本発明の実施例１である構内システム１００、２００を示す図である。
【００１０】
構内システム１００、２００は、基本的には、互いに同じものである。
【００１１】
構内システム１００は、構内交換機１０と、内戦端末Ｔ１と、内線配線Ｌ１とを有し、構内システム２００は、構内交換機２０と、内戦端末Ｔ２と、内線配線Ｌ２とを有する。
【００１２】
図２は、構内システム１００、２００を詳細に示すブロック図である。
【００１３】
構内交換機１０は、マルチライン情報の管理部１１と、マルチライン情報の送受信制御部１２とを有する。
【００１４】
マルチライン情報の管理部１１は、自構内交換機が管理するマルチライン情報１１１と、他構内交換機が管理するマルチライン情報１１２とを格納し、管理する。
【００１５】
マルチライン情報の送受信制御部１２は、他構内交換機への接続認証情報１２１と、他構内交換機からの接続認証情報１２２と、他構内交換機の位置情報１２３とを格納し、管理する。また、他構内交換機からの接続認証情報と認証処理１２２は、他構内交換機の認証処理を行う。
【００１６】
構内交換機２０は、マルチライン情報の管理部２１と、マルチライン情報の送受信制御部２２とを有する。
【００１７】
マルチライン情報の管理部２１は、自構内交換機が管理するマルチライン情報２１１と、他構内交換機が管理するマルチライン情報２１２とを格納し、管理する。
【００１８】
マルチライン情報の送受信制御部２２は、他構内交換機への接続認証情報２２１と、他構内交換機からの接続認証情報２２２と、他構内交換機の位置情報２２３とを格納し、管理する。また、他構内交換機からの接続認証情報と認証処理２２２は、他構内交換機の認証処理を行う。
【００１９】
次に、上記実施例の動作について説明する。
【００２０】
図３は、構内交換機１０の動作を示すフローチャートである。
【００２１】
以下の説明では、構内交換機１０に着目し、構内交換機１０を含む構内システム１００が自構内システムであり、構内交換機２０を含む構内システム２００が他構内システムであるとする。
【００２２】
まず、電源ＯＮによって自構内交換機１０が起動し（Ｓ１）、内線配線Ｌ１に接続されている内線端末Ｔ１が、活性化を終了した（Ｓ２）段階で、当該構内交換機１０は、収容されている内線端末のうちで、他の構内システム２００が管理するマルチライン情報を利用する内線端末が存在しているかどうかを検索する（Ｓ３）。
【００２３】
他の構内システム２００が管理するマルチライン情報を利用することを望む内線端末が存在すれば（Ｓ３）、構内交換機１０に登録されている複数の他の構内システム（他の構内システム２００を含む複数の他の構内システム）のうちで、１つの構内システムを特定する情報と、特定された構内システム（この特定された構内システムが構内システム２００であるとする）に接続する際に必要な認証情報とを検索する（Ｓ４、Ｓ５）。なお、上記特定された構内システム２００に接続する際に必要な認証情報は、構内交換機１０に予め登録されている。
【００２４】
その後、構内交換機１０は、他の構内システム２００に対して接続処理を実施し（Ｓ６）、構内システム２００を構成する構内交換機２０が認証を行い、認証の結果が了承されれば（Ｓ７）、構内交換機２０が管理するマルチライン情報のうちで、必要なマルチライン情報を構内交換機１０に伝送する（Ｓ８、Ｓ９）。他構内交換機２０が認証を了承しなければ（Ｓ７）、接続不可になる（Ｓ１０）。
【００２５】
一方、他の構内交換機２０が管理するマルチライン情報を利用することを望む内線端末が存在しなければ（Ｓ３）、他構内交換機２０からの接続要求を検索処理し（Ｓ１１）、他構内交換機２０からの接続要求があれば（Ｓ１２）、他構内交換機２０に対する認証を処理する（Ｓ１３）。
【００２６】
そして、認証を了承すれば（Ｓ１４）、自構内交換機１０が管理するマルチライン情報を他構内交換機２０へ送信する（Ｓ１５）。認証を了承しなければ（Ｓ１４）、接続不可になる（Ｓ１６）。
【００２７】
上記実施例によれば、ネットワークを介して接続された複数の構内システム間で、マルチライン情報を参照できるようになるので、任意の内線端末に、構内システムを跨ってマルチライン情報を通知することができる。
【図面の簡単な説明】
【００２８】
【図１】本発明の実施例を実現するためのシステム構成例を示す図である。
【図２】構内交換機におけるマルチライン情報の構成例を示す図である。
【図３】マルチライン情報を参照するためのフローチャートである。
【符号の説明】
【００２９】
１００…構内システム、
１０…構内交換機、
１１…マルチライン情報の管理部、
１１１…自構内交換機が管理するマルチライン情報、
１１２…他構内交換機が管理するマルチライン情報、
１２…マルチライン情報の送受信制御部、
１２１…他構内交換機への接続認証情報、
１２２…他構内交換機からの接続認証情報と認証処理、
１２３…他構内交換機の位置情報、
２００…構内システム、
２０…構内交換機、
２１…マルチライン情報の管理部、
２１１…自構内交換機が管理するマルチライン情報、
２１２…他構内交換機が管理するマルチライン情報、
２２…マルチライン情報の送受信制御部、
２２１…他構内交換機への接続認証情報、
２２２…他構内交換機からの接続認証情報と認証処理、
２２３…他構内交換機の位置情報。
【図１】
2005244402.tif 000003
【図２】
2005244402.tif 000004
【図３】
2005244402.tif 000005